(57)【特許請求の範囲】
【請求項１】
給油機構に先端に導電性の金属からなる弁機構を有する本体部分に吐出管部分が取付けられるとともに合成樹脂からなる握り部分が取付けられた給油ノズルを有する給油ホースが、前記本体部分の側面にスイベルジョイントを介してエルボに接続され、かつ前記給油機構を制御するための給油設定データを入出力するデータ入出力装置を備え、顧客自身が該データ入出力装置による給油設定及び給油ノズルによる給油作業を行う前記給油ホースがホース処理装置から吊り下げられた懸垂式の給油装置において、
前記給油ノズルは、その前記握り部分に導電性部材が取付けられるとともに、その前記本体部分に取付けられた前記データ入出力装置を構成する手元カウンタの選択ボタンの表面部分が導電性を有する金属材料あるいは導電性ゴムの材料で被覆され、かつ前記給油ノズルの握り部分に前記給油ホースを下降させるスイッチを動作させる導電性の金属からなるスイッチ紐が設けられ、前記握り部分の導電性部材、前記操作ボタンの表面の導電性を有する金属材料あるいは導電性ゴムの材料及び前記スイッチ紐が前記給油ホースに配置されたアース線を介して設置アース部に接続されていることを特徴とする給油装置。
【発明の詳細な説明】
【０００１】
【発明の属する技術分野】
本発明は、給油所に設置される給油装置に関し、特に、操作前に人体等に帯電した静電気を除去できる給油装置に関するものである。
【０００２】
【従来の技術】
従来、給油所に設置される給油装置で供給される燃料油は、引火性が高く、人体及び自動車等に帯電している静電気のスパークにより引火し、火災発生の原因になるおそれがあった。これを防止するため、給油所の作業員は、導電性の衣服及び靴を着用して給油作業を行っていた。また、自動車に帯電した静電気は、全体が導電性の金属で形成されている給油ノズルの吐出管を経由して逃がしていた。
【０００３】
【発明が解決しようとする課題】
ところで、近年の給油所においては、人件費削減を目的として顧客自身が給油操作を行うセルフサービス式の給油装置が設置されている。給油所の作業員は、静電気を除去する衣服及び靴を着用して作業しているが、顧客はこれらの準備を何らしていないため、人体に帯電した静電気によるスパークが給油装置から生じたガソリンベーパー等に引火し、火災発生の原因となるおそれがあった。また、給油ノズルは、操作性の向上や製造コスト低減のために握り部を非導電性の合成樹脂で形成しているため、帯電した静電気が逃げにくいことがあった。
【０００４】
本発明は上記事情に鑑みなされたもので、人体あるいは自動車に帯電した静電気を給油作業前に確実に除去でき、火災発生等の事故を防止できる給油装置を提供することを目的とする。
【０００５】
【課題を解決するための手段】
上記目的を達成するために請求項１に記載の発明にあっては、給油機構に先端に導電性の金属からなる弁機構を有する本体部分に吐出管部分が取付けられるとともに合成樹脂からなる握り部分が取付けられた給油ノズルを有する給油ホースが、前記本体部分の側面にスイベルジョイントを介してエルボに接続され、かつ前記給油機構を制御するための給油設定データを入出力するデータ入出力装置を備え、顧客自身が該データ入出力装置による給油設定及び給油ノズルによる給油作業を行う前記給油ホースがホース処理装置から吊り下げられた懸垂式の給油装置において、前記給油ノズルは、その前記握り部分に導電性部材が取付けられるとともに、その前記本体部分に取付けられた前記データ入出力装置を構成する手元カウンタの選択ボタンの表面部分が導電性を有する金属材料あるいは導電性ゴムの材料で被覆され、かつ前記給油ノズルの握り部分に前記給油ホースを下降させるスイッチを動作させる導電性の金属からなるスイッチ紐が設けられ、前記握り部分の導電性部材、前記操作ボタンの表面の導電性を有する金属材料あるいは導電性ゴムの材料及び前記スイッチ紐が前記給油ホースに配置されたアース線を介して設置アース部に接続されていることを特徴とするものである。給油操作前に人体あるいは自動車に帯電した静電気が、データ入出力装置、給油ノズルの操作部に設けられた導電性部材あるいは導電性の金属からなるスイッチ紐からアース線を介して設置アース部に放電することで、確実に除去でき、火災発生等の事故を防止できる。給油ノズル、データ入出力装置あるいはスイッチ紐を操作することで簡単に除電できる。
【０００８】
【発明の実施の形態】
以下、本発明を図示の一実施形態により具体的に説明する。図１〜図３は本発明第1実施形態の給油装置を説明する図であり、図１は給油装置の部分断面図、図２は給油装置の正面図、図３は給油ノズルの断面図である。
【０００９】
これらの図において、本実施形態の給油装置１０は、例えば、レギュラーガソリン、ハイオクガソリン及び軽油等の燃料油のいずれかを、正面側及び背面側から操作して給油可能な地上設置型の装置である。この給油装置１０は、図２に示すように、その本体ケース１１は、導電性を有する金属材料から形成され、下部側のベースプレート１２上に設けられた機器ケース１３と、この機器ケース１３上に設けられた表示器ケース１４と、機器ケース１３及び表示器ケース１４の左右に設けられた支柱１５，１５と、これら支柱１５，１５の上部間に設けられた頂部ケース１６とから構成されている。機器ケース１３内には、それぞれの油種の給油機構を構成する給油ポンプやパルス発信器を有する流量計等が収納されている。頂部ケース１６には、後に詳細に説明する先端に給油ノズル１９を接続されたそれぞれの油種の給油ホース１８が吊り下げられている。給油ノズル１９は、機器ケース１３の正面及び背面に設けられたノズル掛け２０に掛けられるようになっている。また、表示器ケース１４の正面側及び背面側の操作面には、それぞれ表示パネル１７が設けられている。この表示パネル１７には、中央部に給油量等を表示する給油量表示器２１が設けられ、この給油量表示器２１の下部側に除電が完了したとき点灯するランプからなる報知器２５が取付けられている。また、他の表示パネル１７部分（左側部分）には、給油作業を行う前に給油データを設定するためのデータ入出力装置として、給油する油種のいずれかを選択する選択ボタン２２、給油量データを入力するためのキーボード２３が設けられている。さらに、頂部ケース１６の上部には、除電が完了したとき及び給油状態を報知する報知器２４が取付けられている。
【００１０】
表示器ケース１４の表示パネル１７に設けられた選択ボタン２２及びキーボード２３は、図１に示すように、人が指で操作する表面部分（斜線部分）が導電性を有する金属材料あるいは導電性ゴム等の材料で被覆されており、その表面部分がそれぞれアース線２５，２６により、例えば、金属材料からなる本体ケース１１の支柱１５に電気的に接続されている。また、機器ケース１３内には、図示しない給油ポンプ等のアース線を集めて接続するためのジョイントボックス２７が設けられ、このジョイントボックス２７内においてアース線２８が支柱１５に電気的に接続されている。ベースプレート１２下部の給油所の敷地１には、ピット（溝）２が形成され、一端部側が敷地１に埋め込まれ他端部がピット２内に突出された設置アース部３０が設けられている。アース線２８は、ジョイントボックス２７内で他のアース線とともにアース線２９を介してピット２内の設置アース部３０に電気的に接続されている。頂部ケース１６の上部に設けられた報知器２４及び表示パネル１７に設けられた報知器２５は、選択ボタン２２またはキーボード２３を接触したとき、あるいはアース線の途中に設けられた放電電流を検知することで、除電が完了したことを点灯等により報知するようになっている。
【００１１】
給油ノズル１９は、図３に示すように、本体部分３１と、本体部分３１の先端に取付けられた吐出管部分３２と、本体部分３１の下側部分に取付けられた握り部分３８とを有し、本体部分３１の側面にはスイベルジョイント３３を介してエルボ３４が取付けられ、このエルボ３４には給油ホース１８が接続されている。
【００１２】
本体部分３１は、導電性の金属であるアルミ鋳物等で成型され、内部には弁機構３５が設けられている。また、吐出管部分３２は、同様に導電性の金属であるアルミパイプで形成され、本体部分３１の弁機構３５の下流側に接続されている。エルボ３４は、導電性の金属である鋳鉄鋳物等で成型され、給油ホース１８に接続されている。この給油ホース１８には、アース線３６が配置され、このアース線３６の一端部は、エルボ３４を介して本体部分３１に電気的に接続され、他端部は金属材料からなる本体ケース１１の頂部ケース１６に接続され、その頂部ケース１６から支柱１５、アース線２８、ジョイントボックス２７、アース線２９、設置アース部３０を介してアースされている。
【００１３】
握り部分３８は、握りがソフトタッチで製造コストが安くなるように合成樹脂で形成され、弁機構３５の開閉レバー３７のレバーガード３９と一体に成型され、本体部分３１の下面に取付けられている。また、握り部分３８には、給油ノズル１９全体を軽くするため凹部４０，４１が形成されている。給油ノズル１９には、握り部分３８を握ったときに人体に帯電している静電気を逃がす導電性部材４２が設けられている。この導電性部材４２は、握り部分３８に形成された穴に組み込まれ、凹部４１から挿通されたボルト４３により取付けられている。また、導電性材料４２は、握り部分３８を握ったときに確実に人体に接触するように、その表面が握り部分３８の表面よりやや出っ張る形状に形成されている。そして、導電性部材４２と本体部分３１との間には、それらの間を電気的に接続するほぼＺ字形状の導電板４４が配置されている。すなわち、導電板４４の一端部は、ボルト２５により同時に締め付けられ、他端部は握り部分３８を本体部分３１に取付けるボルト４５により同時に締め付けて取り付けられている。
【００１４】
上記構成の給油装置１０では、給油操作を行う前にデータ入出力装置である選択ボタン２２またはキーボード２３を操作すると、その表面部分が導電性を有する金属材料あるいは導電性ゴム等の材料で被覆されているため、人体に帯電した静電気がアース線２５，２６、支柱１５、ジョイントボックス２７、アース線２８、設置アース部３０を介して放電する。続いて、給油ノズル１９を手に持って操作をすると、自動車に帯電している静電気は、吐出管部分３２から本体部分３１へ、また人体に帯電している静電気は、握り部分３８に取付けられた導電性部材４２から導電板４４を通って本体部分３１へ流れ、されにエルボ３４、給油ホース１８のアース線３６、頂部ケース１６、支柱１５、アース線２８、ジョイントボックス２７、アース線２９、設置アース部３０を介して放電する。したがって、給油作業前に人体あるいは自動車に帯電した静電気は、確実に除去され、火災発生等の事故を未然に防止することができる。この静電気の除去が行われたとき、表示パネル１７に設けられた報知器２５が報知されることで、除電が完了したことを操作者が知ることができ、また頂部ケース１６の上部に設けられた報知器２４が報知されることで、除電が完了したことを操作者のみならず給油所の所員が知ることができる。
【００１５】
図4及び図５は本発明第２実施形態の給油装置を説明する図であり、図４は給油装置の斜視図、図５は給油ノズルの側面図である。なお、第１実施形態に対応する部分は同一の符号を記す。
【００１６】
この実施形態の給油装置５０は、図４に示すように、給油所の敷地１のキャノピイ３下部にホース処理装置５１が設けられ、このホース処理ケース５１から図示しない給油機構に接続された、先端に給油ノズル５３を有する複数本の給油ホース５２が吊り下げられ、給油時に給油ホース５２を下降させ、給油終了後に元の位置に上昇させる懸垂式給油装置である。
【００１７】
給油ノズル５３は、図５に示すように、第１実施形態と同様に導電性の金属からなる弁機構を有する本体部分５４と、本体部分５４の先端に取付けられた導電性の吐出管部分５５と、本体部分５４の下側部分に取付けられた合成樹脂からなる握り部分５６とを有し、本体部分５４の側面にはスイベルジョイント５８を介してエルボが取付けられ、このエルボに給油ホース５２が接続され、かつ握り部分５６には第１実施形態と同様に本体部分５４に電気的に接続された導電性部材５７が設けられ、給油ホース５２には、第１実施形態と同様に本体部分５４に電気的に接続されたアース線６３が設けられている。このアース線６３は、ホース処理装置５１を通って敷地１に設けられた設置アース部に接続されるようになっている。また、この本体部分５４には、データ入出力装置を構成する手元カウンタ６０が取付けられ、その選択ボタン６１は、第１実施形態と同様に、表面部分が導電性を有する金属材料あるいは導電性ゴム等の材料で被覆され、その表面部分がアース線６３を介してアースされている。さらに、給油ノズル５３の握り部分５６には、給油ホース５２を下降させる図示しないスイッチを動作させる導電性の金属からなるスイッチ紐６２が設けられている。このスイッチ紐６２は、本体部分５４に電気的に接続され、同様にアース線６３を介してアースされている。なお、符号５９は開閉レバーである。
【００１８】
上記構成の給油装置５０では、給油操作を行うためにスイッチ紐６２に接触したり、データ入出力装置である手元カウンタ６０の選択ボタン６１を操作すると、人体に帯電した静電気がスイッチ紐６２あるいは選択ボタン６１から、アース線６３を介して放電し、給油作業前に人体等に帯電した静電気は、確実に除去され、火災発生等の事故を未然に防止することができる。
【００１９】
なお、第１実施形態において、給油機構が本体ケース１１に収納され、データ入出力装置が表示パネル１７に設けられた例を説明したが、例えば、給油ポンプが地下タンク内に配置されているものでもよく、データ入出力装置は本体ケース１１とは別体に設けられていてもよい。また、アース線２５，２６，２８を支柱１５に接続しているが、導電性を有する金属材料からなる本体ケース１１に接続すればよく、実施形態に限定されない。さらに、除電完了を知らせる報知器２４，２５は、点灯以外の任意の報知方法を適用でき、取付け場所や個数も任意にできる。
【００２０】
また、上記実施形態において、少なくとも給油操作前に、給油ホース５２を下降させるためにスイッチ紐６２を操作したり、給油データを設定するデータ入出力装置を操作したときに人体に帯電した静電気を除電できるものであればよい。
【００２１】
【発明の効果】
以上説明したように本発明の給油装置では、給油機構に先端に給油ノズルを有する給油ホースが接続され、かつ給油機構を制御するための給油設定データを入出力するデータ入出力装置を備え、顧客自身がデータ入出力装置による給油設定及び給油ノズルによる給油作業を行う給油装置において、データ入出力装置または給油ノズルは、操作部分に導電性部材が設けられ、導電性部材がアース線を介して設置アース部に接続されていることで、給油操作前に人体あるいは自動車に帯電した静電気が、データ入出力装置または給油ノズルの操作部に設けられた導電性部材からアース線を介して設置アース部に放電し、確実に除去でき、火災発生等の事故を防止できる。
【図面の簡単な説明】
【図１】本発明第1実施形態の給油装置の部分断面図である。
【図２】本発明第1実施形態の給油装置の正面図である。
【図３】本発明第1実施形態の給油ノズルの断面図である。
【図４】本発明第２実施形態の給油装置の斜視図である。
【図５】本発明第２実施形態の給油ノズルの側面図である。
【符号の説明】
１  敷地
２  ピット（溝）
１０  給油装置
１１  本体ケース
１２  ベースプレート
１３  機器ケース
１４  表示器ケース
１５  支柱
１６  頂部ケース
１７  表示パネル
１８  給油ホース
１９  給油ノズル
２０  ノズル掛け
２１  給油量表示器
２２  選択ボタン
２３  キーボード
２４  報知器
２５  報知器
２５，２６  アース線
２７  ジョイントボックス
２８，２９  アース線
３０  設置アース部
３１  本体部分
３２  吐出管部分
３３  スイベルジョイント
３４  エルボ
３５  弁機構
３６  アース線
３７  開閉レバー
３８  握り部分
３９  レバーガード
４０，４１  凹部
４２  導電性部材
４３，４５  ボルト
４４  導電板
５０  給油装置
５１  ホース処理装置
５２  給油ホース
５３  給油ノズル
５４  本体部分
５５  吐出管部分
５６  握り部分
５７  導電性部材
５８  スイベルジョイント
５９  開閉レバー
６０  手元カウンタ
６１  選択ボタン
６２  スイッチ紐
６３  アース線
【図１】
0004139937.tif 000002
【図２】
0004139937.tif 000003
【図３】
0004139937.tif 000004
【図４】
0004139937.tif 000005
【図５】
0004139937.tif 000006